(57)【要約】【課題】  回路設計と製造を単一プラットフォームで完了でき、設計と製造の時間およびコストを削減できる回路設計プラットフォームを提供する。【解決手段】  ポータル１０と、回路設計ツールモジュール２０と、回路設計データベース接続モジュール３０と、回路設計シミュレーションモジュール４０と、集積回路製造接続モジュール５０と、回路試験接続モジュール６０と、管理モジュール７０とを備える。回路設計プラットフォームは、集積回路の設計と製造に必要なすべての種類のツールとサービスを統合し、回路設計者が回路設計と製造を１つの単一プラットフォームで完了しやすくする。また、回路設計プラットフォームは、集積回路の設計と製造の際に回路設計者が使用できるすべての種類の資源を統合し、集積回路の設計と製造に費やされる人的資源、時間およびコストを削減できる。【選択図】    図１
2006323749.tif 000002
【特許請求の範囲】
【請求項１】
回路設計プラットフォームであって、
機能モジュールをインストールし、ログイン後にユーザが前記機能モジュールを利用することを可能にするネットワークプラットフォームを備えるポータルと、
回路の設計に使用される少なくとも１つの回路設計ソフトウェアを接続し、回路設計記述データファイルを生成するネットワーク接続ツールを備える回路設計ツールモジュールと、
複数の回路設計データファイルを含む少なくとも１つの回路設計データベースを接続するネットワーク接続ツールを備える回路設計データベース接続モジュールと、
少なくとも１つの回路設計シミューレーションソフトウェアを接続して、ユーザが特定の回路設計の特徴を検査して特定の回路設計の回路行為をシミュレートするネットワーク接続ツールを備える回路設計シミュレーションモジュールと、
少なくとも１つの集積回路製造業者のウェブサイトに接続し、特定の回路設計に適した製造プロセスの属性を解析する少なくとも１つの集積回路製造属性解析ツールを提供するネットワーク接続ツールを備える集積回路製造接続モジュールと、
少なくとも１つの回路試験サービス提供者のウェブサイトに接続して、特定の回路設計を含む集積回路のオンライン試験またはオフライン試験を行うネットワーク接続ツールを備える回路試験接続モジュールと、
前記機能モジュールのアクセスの管理と料金計算のための管理モジュールと、
を含むことを特徴とする回路設計プラットフォーム。
【請求項２】
前記回路設計ツールは、ローカルにインストールされていることを特徴とする請求項１に記載の回路設計プラットフォーム。
【請求項３】
回路設計プラットフォームであって、前記回路設計ツールモジュールは、
選択された回路設計ツールを使用することをユーザが許可されているかどうかを検証し、前記検証の結果が否定である場合、ユーザが必要な許可を取得することを可能にする許可ツールを提供するライセンスモジュールと、
特定の回路設計ツールのユーザのアクセスの持続時間因子や他の料金徴収因子を計算し、それに従って徴収可能料金を計算する料金計算モジュールと、
ユーザによって入力された要件に従って使用可能な回路設計ツール間のナビゲーションサービスを提供するナビゲーションツールと、
回路設計とその後のプロセスに関係する機能要件および情報を表示し、その入力を可能にする情報パネルと、
を含むことを特徴とする請求項１に記載の回路設計プラットフォーム。
【請求項４】
前記ナビゲーションツールは、ユーザによって行われる選択に従って前記情報パネルに示されるような所望のサービスに関係するインターネットサービスプロバイダまたはネットワークのウェブサイトにスーパーリンクすることを特徴とする請求項３に記載の回路設計プラットフォーム。
【請求項５】
前記回路設計ツールモジュールは、前記ライセンス、前記料金計算、前記ナビゲーションおよび前記リンクに必要なデータを記憶する独立データベースを提供することを特徴とする請求項１に記載の回路設計プラットフォーム。
【請求項６】
前記回路設計データベース接続モジュールは、ユーザによって入力された特定の要件入力に従って回路構成要素知的財産トランザクションシステムにリンクすることを特徴とする請求項１に記載の回路設計プラットフォーム。
【請求項７】
前記回路構成要素知的財産トランザクションシステムは、前記ユーザによって入力される要件および選択に従って選択される回路設計の知的財産データをユーザに提供する知的財産ライセンス契約を自動的に生成することを特徴とする請求項６に記載の回路設計プラットフォーム。
【請求項８】
前記回路構成要素知的財産トランザクションシステムは、
ユーザがオンライン知的財産トランザクションを行うことを可能にするユーザインタフェースと、
探索用の特徴説明が添付されている様々な回路の記述情報を含む回路構成要素知的財産データベースであって、各グループの記述情報がライセンサーの情報および適用可能なランセンス条件を備えるラインセス情報ファイルに接続された回路構成要素知的財産データベースと、
ユーザが探索パラメータを入力することを可能にし、前記回路構成要素知的財産データベースを探索して候補回路構成要素知的財産を見つける探索モジュールと、
特徴説明および／またはユーザ入力のライセンス条件を候補回路構成要素知的財産のものと突き合わせ、合致した回路構成要素知的財産をユーザの選択のために提供する突き合わせモジュールと、
前記ユーザとライセンサーの両方によって合致が受け入れられた後で、ユーザと対応するライセンサーにより入力された条件に従ってトランザクションレコードを生成するトランザクション管理モジュールと、
ライセンスを受けた回路構成要素の内容または代表的データを転送してライセンス料金を徴収するパフォーマンス管理モジュールと、
を含むことを特徴とする請求項１に記載の回路設計プラットフォーム。
【請求項９】
前記回路設計データベース接続モジュールは、ユーザによって入力される特定の要件に従ってローカル回路設計データベースに接続し、選択された回路設計の知的財産データをユーザに提供する知的財産ライセンス契約を自動的に生成することを特徴とする請求項１に記載の回路設計プラットフォーム。
【請求項１０】
前記回路設計シミュレーションモジュールは、ユーザが回路設計データファイルとシミュレーション条件を入力し、シミュレーションの結果を出力することを可能にするユーザインタフェースを提供することを特徴とする請求項１に記載の回路設計プラットフォーム。
【請求項１１】
前記集積回路製造接続モジュールは、集積回路製造業者のポータルに接続するネットワーク接続ツールと、集積回路製造属性解析ツールとを含み、前記ネットワーク接続ツールはユーザが特定の集積回路製造業者のネットワークにアクセスすることを認証して許可する許可ツールと、前記ネットワークと通信を行う通信ツールとを備え、前記集積回路製造属性解析ツールはユーザによって入力される要件に従って提供される集積回路製造業者の情報を生成することを特徴とする請求項１に記載の回路設計プラットフォーム。
【請求項１２】
前記ネットワーク接続ツールは、さらに集積回路製造業者からフィードバック情報を時々自動的に取得する監視機能を提供し、前記フィードバック情報のレコードを確立し、あるいは、前記フィードバック情報に基づいてユーザに警告を生成することを特徴とする請求項１１に記載の回路設計プラットフォーム。
【請求項１３】
前記回路試験接続モジュールは、試験サービス提供者のユーザの選択に従って１グループの許可情報を自動的に生成して、設計した集積回路製品を選択した試験サービス提供者に送付するように対応する集積回路製造業者に指示することを特徴とする請求項１に記載の回路設計プラットフォーム。
【請求項１４】
前記回路試験接続モジュールは、さらに前記集積回路製造業者からのフィードバック情報を前記選択された試験サービス提供者に転送可能に前記対応する集積回路製造業者と前記選択された試験サービス提供者のウェブサイトを自動的に接続することを特徴とする請求項１３に記載の回路設計プラットフォーム。
【請求項１５】
前記回路試験接続モジュールは、前記選択された試験サービス提供者からフィードバック情報を受け取ることを特徴とする請求項１３に記載の回路設計プラットフォーム。
【請求項１６】
集積回路実装サービス提供者のウェブサイトに接続する実装接続モジュールをさらに含むことを特徴とする請求項１に記載の回路設計プラットフォーム。
【請求項１７】
コンピュータソフトウェアの設計に必要なシステムソフトウェアまたはアプリケーションソフトを提供するために、ソフトウェア設計ツールモジュール、ソフトウェアシミュレーションツールモジュール、ソフトウェア試験ツールモジュール、ソフトウェア販売ツールモジュール、アフターサービスツールモジュールおよびデータベース接続モジュールをさらに含むことを特徴とする請求項１に記載の回路設計プラットフォーム。
【発明の詳細な説明】
【技術分野】
【０００１】
本発明は、回路設計プラットフォームに関し、特に、回路設計者が集積回路を同一プラットフォームで解析し、設計し、シミュレートし、検証し、製造することを可能にするすべての種類のツールを備える統合作業プラットフォームのシステムに関する。
【背景技術】
【０００２】
集積回路の高集積化と共に、１つの集積回路に数百万個のトランジスタを組み込むことは既知の技術になっている。そのような技術的傾向とそのような商習慣の下で、集積回路の設計に伴う工程と態様はすべて専門的ツールを使用する専門家によって支援される。したがって、回路設計業界の生物学的環境は変化してきている。
【０００３】
換言すると、初期の頃、回路設計者は半導体工場を備えており、その結果、設計者によって設計された集積回路を半導体工場で検証して製造することができた。しかしながら、専門的な半導体マイクロチップ工場の増大とサブミクロンレベルに向かう半導体技術の開発によってこの要件が崩壊した。回路設計会社のほとんどは自分自身の半導体工場を持っていない。この他に、集積回路設計の初期の段階において回路または設計を解析する必要があり、それによりそのように設計した集積回路の構造を決定することができる。回路の設計段階において、設計者の概念を実現するために、回路の電子設計自動化（ＥＤＡ）ツールが使用される。そのように設計された回路は、専門的なツールを使用してシミュレートし、デバッグし、検証する必要がある。完成した回路設計は、生産のために半導体工場に提供される。そのように製造された集積回路は、切断され、実装され、試験される。さらに、設計段階で、すべての回路が設計者によって設計されると限らない場合は、サードパーティから有効な回路設計のライセンスを受ける必要がある。これらのすべての必要なツール、サービスおよび技術は、専門的なサービスまたは技術提供者によって提供される。回路設計者が設計を完了して設計された集積回路を製造することを支援する総合的ソリューションを提供することができるようなサービスまたは技術提供者はない。
【０００４】
したがって、回路設計者がその回路設計と製造を１つの単一プラットフォームで完成しやすくするために、集積回路の設計と製造に必要なすべての種類のツールとサービスを統合する集積回路設計プラットフォームを提供することが必要である。
【０００５】
また、集積回路の設計と製造で消費される人的資源、時間およびコストを削減できるように集積回路を設計して製造する際に、回路設計者が使用できるすべての種類の資源を統合する回路設計プラットフォームを提供することが必要である。
【発明の開示】
【発明が解決しようとする課題】
【０００６】
本発明の目的は、回路設計者が回路設計と製造を１つの単一プラットフォームで完了しやすくするために、集積回路の設計と製造に必要なすべての種類のツールとサービスを統合する集積回路設計プラットフォームを提供することである。
【０００７】
本発明のもう１つの目的は、集積回路の設計と製造に費やされる人的資源、時間およびコストを削減できるように、集積回路の設計と製造の際に回路設計者が使用できるすべての種類の資源を統合する回路設計プラットフォームを提供することである。
【課題を解決するための手段】
【０００８】
本発明によれば、回路設計プラットフォームは、複数の構成要素設計データファイルを含む少なくとも１つの回路設計データベースに接続する回路設計データベース接続モジュールと、ユーザが特定の回路設計の回路挙動の特徴を検査してその挙動をシミュレートできるようにする少なくとも１つの回路設計シミューレーションソフトウェアを接続する回路設計シミュレーションモジュールと、少なくとも１つの集積回路製造業者のウェブサイトに接続して特定の回路設計に適した製造プロセスの属性を解析する少なくとも１つの集積回路処理属性解析ツールを提供する集積回路製造接続モジュールと、少なくとも１つの回路試験サービス提供者のウェブサイトに接続して特定の回路設計を含む集積回路のオンライン試験またはオフライン試験を行う回路試験接続モジュールと、前記回路設計ツールモジュール、前記回路設計データベース接続モジュール、前記回路設計シミュレーションモジュール、前記集積回路製造接続モジュールおよび前記回路試験接続モジュールを含む機能モジュールに接続するネットワークプラットフォーム機構を提供するポータルと、前記機能モジュールのアクセスの管理と料金計算のための管理モジュールとを含む。
【０００９】
本発明の回路設計プラットフォームは、さらに回路設計者が集積回路を設計して製造する際に必要な系統的ソフトウェアまたはアプリケーションソフトウェアを生成することを可能にする複数のソフトウェア設計ツールモジュール、シミュレーションツルモジュール、試験さらには販売ツールモジュール、インストレーションおよびアフターサービスツルモジュール、その他のデータベース接続モジュールを含むことができる。
本発明の以上のその他の目的および利点は、添付図面を参照することによって詳細な説明から明確に理解することができる。
【発明を実施するための最良の形態】
【００１０】
図１は、本発明の一実施例による回路設計プラットフォームの系統図を示す。この図に示すように、本実施例の回路設計プラットフォームは、回路設計ツールモジュール２０、回路設計データベース接続モジュール３０、回路設計シミュレーションモジュール４０、集積回路製造接続モジュール５０および回路試験接続モジュール６０を含む機能モジュールに接続されるネットワークプラットフォーム機構を提供するポータル１０を含む。回路設計プラットフォーム１０は、さらに設計、シミュレーション、製造、試験、実装および他の必要な機能に必要なすべての機能をプラットフォームに統合する他の機能モジュールを含むことができる。本実施例の回路設計プラットフォームは、さらに集積回路を設計して製造する際に必要な系統的ソフトウェアまたはアプリケーションソフトウェアを回路設計者が生成することを可能にする複数のソフトウェア設計モジュール、シミュレーションモジュール、試験さらには販売モジュール、インストールおよびアフターサービスツルモジュール、その他のデータベース接続モジュールを含むことができる。
【００１１】
ユーザがポータル１０を介して本実施例の回路設計プラットフォームにアクセスするとき、ユーザは集積回路の研究、製造設計および試験のすべての作業を１つのプラットフォームで完了することができる。さらに、回路設計プラットフォームは、ポータル１０を介するそのような機能モジュールのアクセスの管理と料金計算、外部システムおよびウェブサイトとの接続のための管理モジュール７０を含むことができる。ポータル１０と管理モジュール７０の設計は既知の技術に属するので、当業者は既知の技術を使用してこれらの２つのモジュールを実現することができる。したがって、その詳細な説明は省略する。
【００１２】
本実施例の回路設計データベース接続モジュール２０は、複数の電子設計アプリケーション（ＥＤＡ）ツールと接続するネットワーク接続ツールを提供し、それによりユーザは回路設計ツールモジュール２０を介してそのような回路設計ツールにアクセスして、所望の集積回路の設計を行うことができる。回路設計ツールは、ローカルコンピュータに既にインストールされている設計ツールでもよく、ローカルコンピュータからアクセス可能なリモートコンピュータ内の回路設計ツールでもよい。一般的に、設計データの伝送に必要な帯域幅は広すぎる可能性があり、回路設計ツールがリモートからアクセスされる場合は、そのような回路設計ツールがローカルにインストールされていることが好ましい。当然ながら、本実施例において、回路設計ツールの他の構成を使用することもできる。
【００１３】
適用可能な回路設計ツールの例に関して、これらは、市販のツールでもよく、ローカルに開発されたツールでもよい。本実施例において使用できる一般的な回路設計ツールには、Virtuoso、Cadence、ＡＤ  Vance  ＭＳ、Mentor  Graphicsなどがある。図２は、本実施例の回路設計ツールモジュール２０の系統図を示す。この図に示すように、回路設計ツールモジュール２０は、選択された回路設計ツールをユーザが使用することが許可されているかどうかを検証し、この検証が否定の場合、ユーザが必要な許可を取得できるようにする認証ツールを提供するライセンスモジュール２１と、特定の回路設計ツールのユーザアクセスの持続時間因子や他の料金徴収因子を計算し、それにしたがって徴収可能料金を計算する料金計算モジュール２２と、ユーザによって入力された要件に従って使用可能な回路設計ツール間のナビゲーションサービスを提供してユーザが適した回路設計ツールに容易にアクセスできるようにするナビゲーションツル２３と、回路設計とその後のプロセスに関係する機能要件および情報を表示してその入力を可能にする情報パネル２４とを含む。情報パネル２４において提供される情報は、サービスに使用可能なように半導体工場、実装会社、試験会社などの名前を含むことができる。ユーザは、情報パネル２４によってそのようなサービス提供者から提供されるサービスに関係する情報をレビューし、要件や他の有用なデータに関係する因子を入力することができる。システムは、入力された要件や他の有用なデータを使用して提案を提供し、情報パネル２４に提案を示すことができる。提案が表示されるとき、情報パネル２４は、さらに提案されたサービス提供者や他の関連ネットワークのウェブサイトまたはイントラネットへのリンクを提供する。
【００１４】
前述のモジュールは、すべてウェブサイト設計、ネットワーク通信システムおよびデータベース管理の分野の既知の技術を使用して当業者が実現することができる。本実施例の回路設計ツールモジュール２０において、ライセンス、許可、料金徴収、ナビゲーション、リンクなどに関する情報を記憶する独立データベース２５が提供されることがある。また、独立データベース２５に記憶された情報は、他の機能モジュールによって使用されてもよく、オンライン探索用にユーザに提供されてもよい。
【００１５】
回路設計データベース接続モジュール３０は、ユーザが特定ユーザの特定要件に従って適した回路設計データベースに接続できるようにする。回路設計データベースには複数の回路構成要素設計データが提供される。回路設計データベースは、ローカルサーバに記憶されたローカルデータベースでもよく、インターネットを介してアクセス可能なリモートデータベースでもよい。本実施例に適した回路設計データベースは、回路構成要素知的財産（ＩＰ）トランザクションシステムでよい。そのようなＩＰトランザクションシステムは、ユーザが使用されるように設計された回路の特定の要件を入力することができるユーザインタフェースを提供し、それによりそのような要件を満たす回路設計の情報がユーザインタフェースに表示される。表示された回路設計のいずれかをユーザがクリックすると、ＩＰライセンス契約が自動的に完了し、それによりユーザはライセンスを受けた回路設計を設計中の回路に組み込むことができ、あるいは、同意したライセンス料金または権利使用料を支払った後で、ライセンス契約に従ってライセンスを受けた回路設計を利用することができる。ユーザが設計中の回路にそのような回路設計を組み込む方法は、回路設計ツールモジュール２０によって接続された回路設計ツールに特定の構成要素の回路設計情報を組み込むことだけである可能性がある。
【００１６】
図３は、本実施例の回路構成要素知的財産トランザクションシステムの系統図を示す。この図に示すように、本実施例の回路構成要素ＩＰトランザクションシステムは、ユーザがオンラインＩＰトランザクションを行うことを可能にするユーザインタフェース３１を含み、前記ユーザインタフェースは回路設計データベース接続モジュール３０に提供されてもよく、または、インターネットリンクを介してアクセスされてもよく、集積回路に組み込まれる適用可能な構成要素のユーザ探索を可能にするために、トランジスタ、キャパシタ、インダクタなどの様々な回路構成要素の記述情報を記述情報に付加されるサイズ、使用電圧、使用周波数、製造プロセスなどの特徴説明と共に含む回路構成要素ＩＰデータベース３２を含み、各グループの記述情報がライセンサーの情報および適用可能なライセンス条件が含まれるライセンス情報ファイルに接続されており、ユーザが特定の構成要素のキーワード、仕様、機能、分類、必要な製造プロセスなどの探索パラメータを入力し、探索パラメータを満たす候補回路構成要素ＩＰのデータベース３２内の探索を行うことを可能にする探索モジュール３３と、ユーザからの要求と適用可能な回路構成要素ＩＰをランセンスの特徴および機能要件さらには予想される条件に関する記述に従って突き合わせ、合致したＩＰをユーザの使用のために提供する突き合わせモジュール３４と、合致したトランザクションが要求ユーザとライセンサーの両方によって受け入れられた後で特定のユーザによって入力された要件と条件並びに相対的ライセンサーによって設定された条件に従ってトランザクションレコードを生成するトランザクション管理モジュール３５とを含み、前記トランザクションモジュール３５はトランザクションおよびシステムの関係者によって基準として使用される特定のユーザおよび／またはライセンサーの貸出限度額および過去のトランザクション履歴を検証する機能をさらに提供することができ、さらに、指定された半導体工場へのランセンスを受けた回路構成要素ＩＰの内容または代表的情報の転送、ユーザまたは半導体工場から報告されたライセンスを受けたＩＰの利用量、条件、タイプなどの実際の記述情報に従ったライセンス料金の計算と徴収を含み、トランザクションが記録された後のトランザクションに対する関係者のパフォーマンスを監視し、ライセンスを受けたＩＰの誤用を検査するパフォーマンス管理モジュール３６を含む。
【００１７】
回路構成要素ＩＰトランザクションシステム３０の動作は、トランザクション条件のモデル化に基づいて設定される。その結果、関連するすべてのトランザクション条件をリストにし、トランザクション条件の類似性を特定ユーザによる要件と技術的側面と業務的側面の両方における特定の回路構成要素の特別な特徴によって定義することがきわめて重要になる。したがって、類似性のような定義によりライセンストランザクションを突き合わせることができる。様々な市販のビジネスモデルで既に関連する技術が使用されているので、その詳細な説明は省略する。当然ながら、本実施例の回路設計データベース接続モジュール３０に回路設計データベースがインストールされている場合は、ＩＰトランザクションシステムを経ることなく、所望の回路構成要素ＩＰをユーザの集積回路に容易に組み込むことができる。
【００１８】
回路設計シミュレーションモジュール４０の機能は、特定の回路設計の設計者が設計された回路の挙動をシミュレートできるようにすることを含む。回路設計シミュレーションモジュール４０は、任意の市販の回路シミュレーションツルあるいは特別な目的のために特に設計された任意のシミュレーションツルに接続可能である。回路設計シミュレーションモジュール４０によって、ユーザは、ユーザが回路設計情報ファイルをシミュレーションツルに選択した後で、特定回路設計情報ファイルをシミュレーションツルにかけることができる。したがって、そのように設計された回路の挙動がシミュレートされ、ユーザが設計された回路を検証または修正するために、そのシミュレーションの結果が生成される。回路設計シミュレーションモジュール４０は、さらにユーザインタフェースを提供し、ユーザはユーザインタフェースによってポストレイアウトシミュレーションや他のシミュレーションを可能にするため、最大チップサイズ、入出力ポートの位置、その他の特別の要件などの特定の回路設計情報ファイルおよびシミュレーション条件を入力することができる。シミュレーションが完了するとき、その結果がユーザに出力され、サービス料金が徴収される。前述のように、当業者は、上記の説明を参考にすることによって本実施例の回路設計シミュレーションモジュール４０を実現することができる。さらに、回路設計シミュレーションモジュール４０は、そのように設計された回路の要件と特徴に従ってユーザが適したシミュレーションツルを割り振ることを支援するナビゲーション機能を提供することができる。
【００１９】
本実施例の集積回路製造接続モジュール５０は、ネットワーク接続ツール５１と集積回路製造属性解析ツール５２とを含む。半導体工場の顧客はポータルなどのネットワークシステムを介して回路設計情報を半導体工場に提出することによって多数の集積回路製品を注文することができ、また、ネットワークシステムにおいて顧客は注文した集積回路製品の製造を監視することができるので、本実施例において、複数の半導体工場のポータルと接続するネットワーク接続ツール５１が提供される。ネットワーク接続ツール５１は、半導体工場の情報システムにアクセスするため、ユーザが限られた許可と限られた認証を得ることができるようにするために必要なすべての種類の通信ハードウェアおよびソフトウェアを備えている。ユーザが集積回路製造接続モジュール５０によって半導体工場のネットワークシステムにアクセスすることが許可されるとすぐに、ユーザはちょうど半導体工場の通常の顧客に与えられる場合と同じように半導体工場のネットワークシステムの限られた資源を使用する権利が与えられる。
【００２０】
集積回路製造属性解析ツール５２は、チップサイズ、ツーリング形態、マスクの層数、電子設計プロトコル、プロセス規則など、回路、集積回路および製造プロセスに関連する要件の記述に関してユーザによって入力された情報を受け入れ、入力された情報を解析し、候補半導体工場および適用可能な製造プロセスに関する提案を提供する。ユーザが必要情報を入力した後、集積回路製造属性解析ツール５２は自動的にそれらの属性を解析し、それに従って適切な提案を生成する。次に、ユーザは提案されたサービス提供者および／または製造工程を選択することができ、それによりネットワーク接続ツール５１は選択された工場のウェブサイトに接続して半導体工場に照会し、予約し、注文する。当業者は、上記の説明を考慮することによってデータベース管理ツールを使用することにより、そのようなモジュールを実現することができる。前述のように、このモジュールは、適切な属性解析ツール並びに通信およびネゴシエーション機能を提供する。さらに、ネットワーク接続ツール５１は、自動監視機能を提供することができ、その結果、レコードを維持するか、関連ユーザに警告を生成するために半導体工場からフィードバックされた情報を自動的に把握することができる。
【００２１】
回路試験接続モジュール６０の機能は、ユーザと特定の回路試験サービス提供者のウェブサイトまたはポータルとの間の通信を容易にすることを含む。前述のものと同じように、回路試験接続モジュールは、ユーザが適した回路試験サービス提供者を探索することをガイドするナビゲーションツルを提供する。ユーザは、試験のタイプ、チップサイズ、試験、応用条件など、プラットフォームで完成される回路設計を含む集積回路の試験に関係するすべての種類の条件と要件を入力することを求められる。次に、回路試験接続モジュール６０は、適した回路試験サービス提供者の候補を解析して生成する。次に、ユーザは、ユーザがサービス提供者のウェブサイトまたはポータルに接続するときに照会、予約および注文するために、ユーザインタフェース内でクリックすることによって、特定のサービス提供者を選択することが許可される。注文が有効にされた後、許可情報が生成され、関連半導体工場に送られ、その半導体工場は次に製造した関連集積回路製品を選択された回路試験サービス提供者に送付する。次に、試験サービス提供者は集積回路製品を試験し、試験結果の情報が回路試験接続モジュール６０または半導体工場に送られる。回路試験接続モジュール６０は、回路試験サービス提供者または半導体工場のウェブサイトまたはポータルと接続して、試験結果のような所望の情報を取得する。回路試験接続モジュール６０はまた、半導体工場に接続してウェーハ受入試験報告などの情報を取得し、その情報を回路試験サービス提供者に送って、試験サービスを容易にすることができる。さらにまた、回路試験サービス接続モジュール６０は、回路試験サービス提供者からフィードバックを受け取って、試験サービスを時々監視することができる。
【００２２】
本実施例の回路設計プラットフォームは、さらにチップパッケージサービス提供者や、設計、製造、試験などと関連した他のサービス提供者のウェブサイトまたはポータルと接続する追加のチップパッケージ接続モジュールを含むことができる。ユーザが適したサービス提供者を選択し、サービスまたは情報をオンラインまたはオフラインで取得することをガイドするために、それぞれの接続モジュールにナビゲーションツルが提供されることがある。当業者は、本実施例の説明を参照することによって、これらのすべての接続およびナビゲーションツルを実現することができる。
【００２３】
本実施例の回路設計プラットフォームにおいて、様々なソフトウェア設計、シミュレーション、試験さらには販売、インストールおよびアフターサービスのツールおよびモジュールを提供することができる。これらのツールとモジュールにより、ユーザは、回路の設計作業の際に必要なシステムソフトウェアまたはアプリケーションソフトウェアを設計することができる。これらのツールおよびモジュールの構造は、前述のように、回路設計と関係するツールモジュールおよび接続モジュールと類似している。以上その他のものは、前述の説明を参照することによって、当業者により実現することができる。したがって、その詳細な説明は省略する。
【００２４】
前述のように、本実施例の回路設計プラットフォームは、企画、製造設計、切断、実装および試験を含む回路設計作業のすべての段階において回路設計者が必要とする可能性のあるすべての種類のネットワーク接続ツール、資源および接続モジュールを提供する。本実施例の回路設計プラットフォームを使用するとき、ユーザは、すべての種類のインストールされたツールまたは接続可能なツールと資源を使用して、設計する集積回路製品を設計し、シミュレートし、作成し、試験することができる。さらに、回路設計データベース接続モジュール３０は、回路設計ＩＰを取得する便利かつ迅速なチャネルをユーザに提供する。したがって、集積回路の設計と作成におけるタイムラグを短縮することができる。本実施例の管理モジュール７０は、発明したプラットフォームのサービスを管理し、提供されたサービスの料金を徴収する。回路設計者は、回路を設計し始める前に、所望のツールおよび資源を個人的に調査したり、研究したり、試験したり、購入したりする必要がない。回路設計作業が容易かつ安価になる。本実施例は、回路さらにはソフトウェア、設計、製造および試験の総合的ソリューションを１つの単一プラットフォームに統合する。
【００２５】
本発明をその好ましい実施形態を参照して示し、説明したが、当業者は、本発明の趣旨および範囲から逸脱することなく、これらの実施形態に以上その他の変更を行うことができることを理解する。
【図面の簡単な説明】
【００２６】
【図１】本発明の一実施例による回路設計プラットフォームを示す系統図である。
【図２】本発明の一実施例による回路設計プラットフォームの回路設計ツールモジュールを示す系統図である
【図３】本発明の一実施例による回路設計プラットフォームの回路構成要素知的財産トランザクションシステムを示す系統図である。
【符号の説明】
【００２７】
１０  ポータル、２０  回路設計ツールモジュール、２１  ライセンスモジュール、２２  料金計算モジュール、２３  ナビゲーションツル、２４  情報パネル、２５  データベース、３０  回路設計データベース接続モジュール、３１  ユーザインタフェース、３２  ＩＰデータベース、３３  探索モジュール、３４  突き合わせモジュール、３５  トランザクション管理モジュール、３６  パフォーマンス管理モジュール、４０  回路設計シミュレーションモジュール、５０  集積回路製造接続モジュール、５１  ネットワーク接続ツール、５２  集積回路製造属性解析ツール、６０  回路試験接続モジュール、７０  管理モジュール
【図１】
2006323749.tif 000003
【図２】
2006323749.tif 000004
【図３】
2006323749.tif 000005